(57)【要約】      （修正有）【課題】枕や腰当てとして使用する際の二つ折りの状態を安定して維持することができるエアークッションを提供する。【解決手段】外形が平面視略方形であって、少なくとも中央に透孔２を貫設すると共に、透孔の周囲にドーナツ状の空気室を形成したクッション本体と、クッション本体を横切って対向する一対の辺縁部それぞれに設けられ、対向する側を互いに着脱自在に連結する止め具９とを有し、止め具を連結することでクッション本体を二つ折り状態で維持する。止め具は、クッション本体の一対の辺縁部それぞれに空気室との仕切りを介して延成した一対の耳片部７、８のそれぞれに設けことが好ましい。また、クッション本体は、中央の透孔を大なる透孔２として、その両側に沿って複数の小なる透孔３をさらに貫設してなることが好ましい。【選択図】図３
0003218175.tif 000002
【実用新案登録請求の範囲】
【請求項１】
外形が平面視略方形であって、少なくとも中央に透孔を貫設すると共に、該透孔の周囲にドーナツ状の空気室を形成したクッション本体と、該クッション本体を横切って対向する一対の辺縁部それぞれに設けられ、前記対向する側を互いに着脱自在に連結する止め具とを有し、該止め具を連結することで前記クッション本体を二つ折りの状態に維持することを特徴としたエアークッション。
【請求項２】
クッション本体は、一対の辺縁部それぞれに空気室との仕切りを介して延成した一対の耳片部を備え、該一対の耳片部それぞれに止め具を設けた請求項１記載のエアークッション。
【請求項３】
止め具は、雄雌のホック、スライドファスナー、雄雌の面ファスナー、バックル、ボタンとボタンホール、紐、バンドの何れかである請求項１または２記載のエアークッション。
【請求項４】
クッション本体の中央の透孔は平面視縦長であり、その長辺の両側に位置する一対の辺縁部それぞれに止め具を設けた請求項１、２または３記載のエアークッション。
【請求項５】
クッション本体は、中央の透孔を大なる透孔として、その両側に沿って複数の小なる透孔をさらに貫設してなる請求項１から４のうち何れか一項記載のエアークッション。
【請求項６】
クッション本体は、全体が一つの空気室で構成されている請求項１から５のうち何れか一項記載のエアークッション。
【考案の詳細な説明】
【技術分野】
【０００１】
この考案は、椅子や乗り物の座席の他、病臥の際のベッド等に敷載して使用するエアークッションの改良に関する。
【背景技術】
【０００２】
従来、この種のエアークッションとしては、使用中の体重による圧力（以下、単に「体圧」という。）から生じる痛みや疲れ、あるいは接触部分のムレを緩和するために、円形のクッション本体の中央に円孔を一つ設けてなる円座（ドーナツ型あるいは浮き輪型のクッション）が広く知られていたが、当該円座では、着座時に臀部で中央の円孔を閉塞してしまい、その部分の通気性が得られないという課題があった。
【０００３】
そこで、クッション本体を角形として、その中央に比較的大きな縦長の透孔（大ホール）を貫設すると共に、その両側に比較的小さな透孔（小ホール）を二つずつ縦に並べて貫設したエアークッションが提案されていた（特許文献１・２）。これらエアークッションでは、大ホールと小ホールとの間で通気性を確保することが可能となる。
【先行技術文献】
【特許文献】
【０００４】
【特許文献１】実開平３−４５７６２号公報
【特許文献２】意匠登録第７８４０６３号公報
【考案の概要】
【考案が解決しようとする課題】
【０００５】
ところで、エアークッションを二つに折り畳めば、枕や腰当てとしても使用することができる。しかしながら、頭を載せるなどして、常に荷重をかけていなければ、二つ折りの状態を維持することができない。特に、十分な空気圧で膨らませているエアークッションは、頭を載せ替えるなどして、少しでも荷重を小さくすると直ぐに展開してしまい、その都度、二つ折りにしなければならないという煩わしさがあった。
【０００６】
本考案は上述した課題を解決するためになされたもので、その目的とするところは、枕や腰当てとして使用する際の二つ折りの状態を安定して維持することができるエアークッションを提供することである。
【課題を解決するための手段】
【０００７】
上述した目的を達成するために本考案では、外形が平面視略方形であって、少なくとも中央に透孔を貫設すると共に、該透孔の周囲にドーナツ状の空気室を形成したクッション本体と、該クッション本体を横切って対向する一対の辺縁部それぞれに設けられ、前記対向する側を互いに着脱自在に連結する止め具とを有し、該止め具を連結することで前記クッション本体を二つ折りの状態に維持するという手段を用いた。
【０００８】
この手段によれば、止め具を連結することで、クッション本体に空気が充填されているか否かにかかわらず、クッション本体を二つ折り状態に維持することができ、特に、空気を充填したクッション本体を二つ折りの状態に維持するため、枕や腰当てとして使用する際に、従来のように、展開したクッション本体を一々折り畳み直す手間がない。一方、止め具を外せば、クッション本体を展開することができることはもちろんである。
【０００９】
止め具は、クッション本体を二つ折りの状態に維持するようにクッション本体の一対の辺縁部に位置すればよいが、当該一対の辺縁部それぞれに空気室との仕切りを介して延成した一対の耳片部を形成し、該耳片部それぞれに止め具を設けることが好ましい。空気を充填したクッション本体を二つ折りにする際、クッション本体の両側に迫り出す耳片部によって止め具を容易に連結することができ、また、クッション本体を十分に膨張した状態で止め具を連結すればロール状とすることができることができるからである。
【００１０】
止め具は、互いに着脱自在に連結する構成であればよく、例えば、雄雌のホック、スライドファスナー、雄雌の面ファスナー、バックル、ボタンとボタンホール、紐、バンドの何れかであることが好ましい。従来からある汎用性が高い部材を採用することができるからである。
【００１１】
また、クッション本体の中央の透孔は平面視縦長であり、その長辺の両側に位置する一対の辺縁部それぞれに止め具を設けることが好ましい。中央の透孔を平面視縦長とすることで該中央透孔に沿ってクッション本体を真ん中から二つ折りにしやすく、この二つ折りの状態を止め具によって確実に維持することができるからである。
【００１２】
なお、クッション本体は、中央の透孔を大なる透孔として、その両側に沿って複数の小なる透孔をさらに貫設してなることが好ましい。クッション本体を展開して使用するか、二つ折りにして使用するかにかかわらず、大なる透孔と小なる透孔との間で通気性が確保されるからである。
【００１３】
さらに、クッション本体は、空気室が仕切りによって複数に分割されたものであってもよいが、全体が一つの空気室で構成されていることが好ましい。空気室が複数に分割されている場合、一つ一つが小さくなり、瞬時の加圧によって破裂するおそれがあるが、全体で一つの空気室であれば、こうした圧力を吸収することができ、破裂を回避することができるからである。
【考案の効果】
【００１４】
本考案によれば、止め具によってクッション本体を二つ折り状態に維持することができるので、枕や腰当てとして使用中に寝返りや姿勢を変えたとしてもクッション本体が展開することがなく、安定して二つ折りの状態で使用することができる。
【図面の簡単な説明】
【００１５】
【図１】本考案の第一実施形態に係るエアークッションの（ａ）平面図、（ｂ）Ａ−Ａ線断面図
【図２】同、展開時の使用例を示した斜視図
【図３】同、二つ折り時の使用例を示した斜視図
【図４】本考案の第二実施形態に係るエアークッションの（ａ）底面図、（ｂ）Ｂ−Ｂ線断面図
【図５】本考案の第三実施形態に係るエアークッションの底面図
【図６】本考案の第四実施形態に係るエアークッションの底面図
【考案を実施するための形態】
【００１６】
以下、本考案の好ましい実施の形態を添付した図面に従って説明する。図１は、本考案の第一実施形態に係るエアークッションを示したものであって、平面視略方形のクッション本体１には、中央に前後方向に縦長の大なる透孔（大ホール）２を貫設すると共に、その両側には大ホール２に沿って表裏を融着した帯溝状の融着部３ａを形成して、この融着部３ａ上に前後二つの小なる透孔（小ホール）３を貫設している。
【００１７】
クッション本体１の周縁には環状の融着部４が形成され、その内側に空気室５を形成している。この空気室５は、断面上、大なる透孔２の外周囲に大小の空気室５ａ・５ｂが二重のドーナツ状に表れるが、この実施形態では、大小の空気室５ａ・５ｂは内部で連通しており、全体として一つの空気室５を構成している。そして、クッション本体１の底面には、空気室５に空気を充填する充填口６を一つ設けている。
【００１８】
ここまでの構成は特許文献１・２のエアークッションと基本的に同じであるが、本実施形態では、クッション本体１の左右に耳片部７・８を一対設けている。これら耳片部７・８はクッション本体１の透孔２の長辺の両側に位置する一対の辺縁部１ａ・１ｂに環状融着部４（仕切り）を介して延成され、左右に迫り出している。
【００１９】
そして、これら耳片部７・８の前後二箇所には、雄雌のホック９ａ・９ｂからなる止め具９を設けている。
【００２０】
上記構成のエアークッションは、展開時には図２に示すように座布団として使用することができる。一方、クッション本体１を大なる透孔２に沿って二つ折りにし、図３に示すように、耳片部７・８に設けた止め具９を連結することでクッション本体１をロール状に維持する。このような状態とすることで、本エアークッションは枕や腰当てとして使用することができる。
【００２１】
何れの使用例においても、空気室５に空気を充填しているため、適度なクッション性を発揮し、また、大小の透孔２・３によって通気性も確保される。また、クッション本体１は平面視略方形であるため、二つ折りにしたときに枕と同じような外形となる。
【００２２】
ところで、上記実施形態では、クッション本体１を一つの空気室５で構成したので、例えば小なる空気室５ａに瞬時に加圧がかかったとしても、その圧は大なる空気室５ｂに分散され、結果的に加圧を吸収することができる。このため、空気室５が破裂することを防止することができる。
【００２３】
これに対して図４〜６に示す第二〜第四の実施形態では、内外大小のドーナツ状の空気室５ａ・５ｂを仕切り１０（融着部）によって分割しており、空気室５ａ・５ｂは互いに非連通の独立したものとして、それぞれに空気の充填口１１・１２を設けている。なお、クッション本体１に耳片部７・８と止め具９を設けて、クッション本体１を二つ折りの状態に維持できるようにすることは第一実施形態と同じである。
【００２４】
このように第二〜第四実施形態のエアークッションは、二つの空気室５ａ・５ｂを有して、それぞれに個別に空気を充填して膨らまして使用することができる。このため、二つの空気室５ａ・５ｂそれぞれが、独自の圧力によって身体を支持するため、体重移動の際にクッション全体がゆらゆらすることがなく、安定して身体を支持することができる。
【００２５】
なお、本考案は上記実施形態に限定されず、止め具については雄雌のホックに代えて、雄雌の面ファスナー、ボタンとボタンホール、紐、バンド、バックル、さらにはスライドファスナーを採用することできる。また、止め具は、耳片部７・８を省略した場合にはクッション本体１に直接設けることもできる。さらに、透孔は中央に一つあれば足り、小なる透孔３は省略することもできる。
【符号の説明】
【００２６】
１  クッション本体
２  大なる透孔（大ホール）
３  小なる透孔（小ホール）
３ａ  融着部
５  空気室
６  空気の充填口
７・８  耳片部
９  止め具
【図１】
0003218175.tif 000003
【図２】
0003218175.tif 000004
【図３】
0003218175.tif 000005
【図４】
0003218175.tif 000006
【図５】
0003218175.tif 000007
【図６】
0003218175.tif 000008